(57)【要約】本発明は校正バランススプリング靴に関し、靴甲皮（１００）の底面後方側に結合され、その後方に十字溝（２２２）を有する結合溝（２２０）が下向きに開放されるように形成され、その前方に突出された中間キー（２４２）及び前記中間キー（２４２）を中心にした左右両方にねじ溝（２５２）が形成される靴後方中底（２００）と、前記靴甲皮（１００）の底面前方側に結合される靴前方中底（３００）と、下側から上側に幅が漸次に細くなるコイル状のスプリング（４２０）とその上端に一体に成形された上側ホルダー板（４４０）とその下側に一体に成形される下側ホルダー板（４６０）とで構成されたスプリングホルダー（４００）と、前記靴甲皮（１００）を通過して頭部が前記靴甲皮（１００）に係止された状態で前記スプリングホルダー（４００）を固定する締結具（５００）と、一側が折曲されて折曲端（６２０）が形成され、前記折曲端（６２０）に前記中間キー（２４２）が嵌められるようにキー溝（６２２）が形成され、両方に前記ねじ溝（２５２）にそれぞれねじ結合されるボルト（６６０）が通過するようにボルト孔（６２４）が形成され、他側が前記下側ホルダー板（４６０）の底面に一体型に結合される本底（６００）と、を含んで構成されることを特徴とする。【選択図】図３
2013523207.tif 000002
【特許請求の範囲】
【請求項１】
硬質の合成樹脂素材で形成され、靴甲皮（１００）の底面後方側に結合され、後方底面に結合溝（２２０）が下向きに開放されるように形成される靴後方中底（２００）と、
後方側が上記靴後方中底（２００）の前方側を包む形態で、前記靴甲皮（１００）の底面前方側に結合される靴前方中底（３００）と、
下側から上側に幅が漸次に細くなる形態のコイル状のスプリング（４２０）と、前記コイル状のスプリング（４２０）の上端に一体に成形されて、前記結合溝（２２０）に回転防止状態に挿入される上側ホルダー板（４４０）と、前記コイル状のスプリング（４２０）の下端が水平を維持するように一体に成形される下側ホルダー板（４６０）とで構成されるスプリングホルダー（４００）と、
前記靴甲皮（１００）及び前記結合溝（２２０）の中心を順次に通過して、頭部が前記靴甲皮（１００）に係止された状態で前記上側ホルダー板（４４０）の中心に形成されたねじ溝（４４４）に嵌合される締結具（５００）と、
軟質の合成樹脂素材で形成されて、一側に折曲端（６２０）が形成されて、前記靴後方中底（２００）に分離可能に結合され、他側が前記下側ホルダー板（４６０）の底面に一体型に結合される本底（６００）と、を含み、
前記靴後方中底（２００）の前方側底面に突出形態の中間キー（２４２）及び前記中間キー（２４２）を中心にした左右両方にねじ溝（２５２）が形成され、
前記本底（６００）の折曲端（６２０）に前記中間キー（２４２）が嵌められるようにキー溝（６２２）を形成し、両方に前記ねじ溝（２５２）にそれぞれねじ結合されるボルト（６６０）が通過するようにボルト孔（６２４）が形成されることを特徴とする、
校正バランススプリング靴。
【発明の詳細な説明】
【技術分野】
【０００１】
本発明は靴の後方底面にスプリングを設置して構成されたスプリング靴に関し、さらに詳しくは、スプリングの上端及び下端に垂直に荷重が発生した時にも水平を保持することができるようにして、歩行者の足底が常に均一な弾性荷重を有するようにするとともに、スプリングの圧縮の時にも騷音の発生がないようにした校正バランススプリング靴に関する。
【背景技術】
【０００２】
一般に、スプリング靴は、靴の底面にスプリングが設置されたもので、人が歩く時、地面から受ける衝撃力を吸収する。
スプリング靴を着用する場合、歩いたり走る時、スプリングの弾性力によるジャンピング力が提供され、従来、子供によってゲーム用に適用されて来たが、同じ時間同じ動きを繰り返す場合、一般の運動靴を着用する時より多い運動量を得ることができて、最近は運動時間が不足する大人層によって運動用またはダイエット用として人気を得ている。
【０００３】
また、最近のスプリング靴は、多様なアイディア提示を通じて多様な構造に変化されているが、大部分が靴底と地面に密着される中底との間にスプリングを位置させた後、上記スプリングの中心位置でボルトなどの締結具を通じて靴の底部または中底に結合させる方法を取っていて、製造は可能であるが、スプリングなどの毀損の時、修理及び交換作業が困難であるという問題点があった。
【０００４】
即ち、スプリングの上下端部を支持するように靴底の後方底面と中底に提供される固定板が分離可能になるようにねじを通じて締結し、この固定板にスプリングの端部が強制的に嵌められて固定されるようにしたことが大半であった。
【０００５】
しかし、上記したスプリング靴は靴底と中底が捻られ過ぎる場合、スプリングの端部が離脱する虞があって、安全性に問題があり、またスプリングの上下端部が固定状態で靴底と中底に結合されていて、スプリングの交換や自分の体形にあわせてスプリングのバランスを調節することができないという問題点があった。
また、靴底と中底との間に提供されるスプリングが常に外部に露出された状態になっていて、スプリング圧縮時と復元力発生時、露出されたスプリングに異物などが挟まると、圧縮力の低下によって危険が生じる問題点があった。
また、スプリングを支持する中底が靴底から分離されていて、頻繁に使用すると、中底が撓うかまたは容易に摩耗される問題点があった。
【０００６】
これを解決するために、靴の底と地面に支持され、スプリングを固定する中底がスプリングの下端に堅固に固定されることができるとともに、スプリングの下端から簡便に分離されることができるようにして、使用者が簡便に分離及び交換作業を行うことができ、同時に、スプリングを支持する中底が靴の底前方と分離可能に連結されることはもちろん、靴底の前方から回動することができるようにして、歩行の時、スプリングが足の踵を安定的に支持することができるようにするスプリング靴が、特許登録第１０−０９４７６７０号「スプリング靴」によって先出願されたことがある。
しかし、上記は、見掛けが良く組み立て及び交換作業を容易に行うことができるが、スプリング靴を着用して歩行する時、回動部位などで騷音が発生する問題点があった。
【発明の概要】
【発明が解決しようとする課題】
【０００７】
そこで、本発明は上記問題点を解決するために創作された。
本発明の目的は、第一に、スプリング靴を着用して歩行する時、スプリングの連結部位から騷音を発生しないようにすることにある。第二に、スプリングの上端と下端が安定した水平を維持することができるようにして、繰り返し垂直荷重が発生する場合にも安定した弾性支持力を有するようにすることにある。第三に、組み立て及び製造が容易で、コストを大きく低減させることができるようにすることにある。
本発明の目的は、以上で言及した目的に制限されないで、言及されない他の目的は、以下の記載から本発明が属する技術分野における技術者に明確に理解されることができる。
【課題を解決するための手段】
【０００８】
上記目的を達するために、本発明は、硬質の合成樹脂素材で形成され、靴甲皮の底面後方側に結合され、その後方底面に結合溝が下向きに開放されるように形成される靴後方中底と、後方側が上記靴後方中底の前方側を包む形態で、上記靴甲皮の底面前方側に結合される靴前方中底と、下側から上側に幅が漸次に細くなる形態のコイル状のスプリングと、上記コイル状のスプリングの上端に一体に成形され、上記結合溝に回転防止状態に挿入される上側ホルダー板と、上記コイル状のスプリングの下端が水平を維持するように一体に成形される下側ホルダー板とで構成されるスプリングホルダーと、上記靴甲皮及び上記結合溝の中心を順次に通過して、頭部が上記靴甲皮に係止された状態で上記上側ホルダー板の中心に形成されたねじ溝に嵌合される締結具と、軟質の合成樹脂素材で形成され、一側に折曲端が形成されて、上記靴後方中底に分離可能に結合され、他側が上記下側ホルダー板の底面に一体型に結合される本底と、を含んで構成されることを特徴とする。
【０００９】
ここで、上記結合溝の表面には十字溝が形成され、上記上側ホルダー板の上側表面には十字突起が形成されて、互いに結合する時、回転が防止されるようにすることが好ましい。
また、上記靴後方中底の前方側底面に突出形態の中間キー及び上記中間キーを中心にした左右両方にねじ溝が形成され、上記本底の折曲端に上記中間キーが嵌められるようにキー溝が形成され、両方に上記ねじ溝にそれぞれねじ結合されるボルトが通過するようにボルト孔が形成されるようにすることが好ましい。
【発明の効果】
【００１０】
本発明は、コイル状のスプリングの上下側に上下側ホルダー板を一体型に結合させ、上記上下側ホルダー板の厚さを調節しながら結合させて、垂直荷重が発生する時均一な弾性力を付与することができる效果を奏する。
また、スプリングホルダーを結合させると、組み立てが簡便になることによって、コストを大幅に低減させる效果を奏する。
また、スプリングの上端及び下端に結合された上下側ホルダー板によってスプリングの圧縮の時にも騷音を発生しない效果を奏する。
【図面の簡単な説明】
【００１１】
【図１】本発明による校正バランススプリング靴の斜視図である。
【図２】図１の側面図である。
【図３】図１または図２の分離斜視図である。
【図４】図３の底面斜視図である。
【図５】図４の靴後方中底の底面図である。
【図６】図３または図４のスプリングホルダーと本底の結合状態平面図である。
【発明を実施するための形態】
【００１２】
以下、本発明による好ましい実施例を添付された図面を参照にして詳しく説明する。関連の公知技術などは本発明の要旨を曖昧にする虞があると判断される場合、その詳細な説明は省略する。
本発明による実施例の具体的な事項は詳細な説明及び図面に含まれており、本発明の特徴は添付される図面と共に詳細に後述されている実施例を参照すればさらに明確になる。
【００１３】
本発明は、図１〜図６の図示によれば、足に着用される靴甲皮１００と、靴甲皮１００の後方底面に結合される靴後方中底２００と、靴甲皮１００の前方底面に結合される靴前方中底３００と、上記靴後方中底２００の底面に結合されるスプリングホルダー４００と、上記靴後方中底２００に上記スプリングホルダー４００を結合させる締結具５００と、一端が靴後方中底２００の一側に結合され、他端が上記スプリングホルダー４００の底面に結合される本底６００とで構成される。
上記靴甲皮１００は、足に着用されて足を保護する通常の靴であり、足底の底面中心を基準にして前後方に分離して説明する。
上記靴後方中底２００は、硬質の合成樹脂材料で形成され、靴甲皮１００の底面後方側に接着剤など公知の接着方式を通じて一体型に結合される。そして、上記靴後方中底２００の後方底面には十字溝２２２を有する結合溝２２０が下向きに開放されるように形成され、その前方には中間キー２４２及び上記中間キー２４２を中心にした左右両方にねじ溝２５２が形成される。
【００１４】
また、上記靴後方中底２００を形成する結合溝２２０の中心には上記締結具５００が通過するようにボルト孔２６０が形成される。
上記靴前方中底３００は合成樹脂素材で形成され、後方側が上記靴後方中底２００の前方側を包む形態で、上記靴甲皮１００の底面前方側に接着剤など公知の接着方式を通じて一体型に結合される。
【００１５】
上記スプリングホルダー４００は、着用者に弾性力を付与するためのものであり、下側から上側に幅が漸次に細くなるコイル状のスプリング４２０と、上記コイル状のスプリング４２０の上端に一体に成形され、上記結合溝２２０に挿入されて、上記十字溝２２２に嵌合されるように上面に十字突起４４２を有する上側ホルダー板４４０と、上記コイル状のスプリング４２０の下端が水平を保持するように一体に成形される下側ホルダー板４６０とで構成される。
ここで、上記下側ホルダー板４６０と上記上側ホルダー板４４０は上下位置で平行するように位置され、上記コイル状のスプリング４２０の上下側に一体型に結合される。
【００１６】
上記上側ホルダー板４４０及び下側ホルダー板４６０は、成形の時、上記コイル状のスプリング４２０に結合された状態に成形されるようにすることが好ましい。
また、上記十字溝２２２は、四角溝２２２Ａ及び上記四角溝２２２Ａの角または辺から外側方向に形成された４つの長溝２２２Ｂを言い、また、上記十字突起４４２は、四角突起４４２Ａ及び上記四角突起４４２Ａの角または辺から外側に突出して形成された４つの突起４４２Ｂを言う。
【００１７】
これによって、上記十字溝２２２の四角溝２２２Ａに十字突起４４２の四角突起４４２Ａが嵌合されながら４つの突起４４２Ｂが４つの長溝２２２Ｂに嵌められて回転が防止される。
これは堅固な固定力及び簡便な固定力を確保するためのものである。
【００１８】
上記締結具５００は、上記靴甲皮１００及び上記十字溝２２２の中心を順次に通過して、頭部が上記靴甲皮１００の底面に係止された状態で、上記十字突起４４２の中心に形成されたねじ溝４４４に嵌合される。
【００１９】
上記本底６００は、硬質または軟質の合成樹脂素材で形成され、一側が折曲されて折曲端６２０が形成され、上記折曲端６２０に上記中間キー２４２に嵌められるようにキー溝６２２が突出して形成され、両方に上記ねじ溝２５２にそれぞれねじ結合されるボルト６６０が通過するようにボルト孔６２４が形成され、他側が上記下側ホルダー板４６０の底面に一体型に結合される。ここで、上記折曲端６２０の部位は軟質の素材で形成することが好ましい。
【００２０】
上記のように構成される本発明による校正バランススプリング靴の組み立て過程を添付した図面を参照して詳しく説明すれば次の通りである。
組み立ての時には、まず、図２または図３に示すように、コイル状のスプリング４２０の上端には上側ホルダー板４４０が、そして下端には下側ホルダー板４６０が結合されるようにこれらを一体に成形する。
この時、上記上側ホルダー板４４０に垂直荷重が発生する時、荷重力がコイル状のスプリング４２０に均一に伝達されることができるように、上記上側ホルダー板４４０及び下側ホルダー板４６０の厚さを調節して成形する。
即ち、荷重が大きく発生される部位は漸次に厚く、そして荷重が小さく発生される部位は漸次に薄く一体型に成形されるようにして、上下側表面に荷重が発生される場合、上記コイル状のスプリング４２０が常に均一に圧縮及び復元されることができるようにすればよい。
【００２１】
それから、スプリングホルダー４００を形成する下側ホルダー板４６０の底面に本底６００を接着させて一体化させる。
その後、靴甲皮１００の底面に靴後方中底２００を結合させ、続いて靴甲皮１００の底面に靴前方中底３００を結合させる。このようにして、靴前方中底３００の後端部が上記靴後方中底２００の先端部を包む形態に結合される。
連続して、スプリングホルダー４００の上端に提供された上側ホルダー板４４０を上記靴後方中底２００の結合溝２２０に位置させた後十字突起４４２が十字溝２２２に一致されるようにしながら押し入れる。
これと同時に、締結具５００を通じて上記靴後方中底２００に上記スプリングホルダー４００が結合されるように締め付ける。
【００２２】
引き続き、上記本底６００の折曲端６２０に形成されたキー溝６２２と上記靴後方中底２００の前方側底面に位置した中間キー２４２を互いに結合させて固定させた後、両方にボルト６６０を締め付けて上記本底６００が上記靴後方中底２００に結合されるようにすれば、図１または図２に示すように組み立てが完了する。
【００２３】
以上、本発明による好ましい実施例を添付した図面を参照して説明したが、本発明が属する技術分野において通常の知識を有する者には、本発明がその技術的思想や必須特徴を変更しなくても他の具体的な形態に実施されることができることは明白である。
【符号の説明】
【００２４】
１００：靴甲皮
２００：靴後方中底
２２０：結合溝  
２２２：十字溝
２２２Ａ：四角溝  
２２２Ｂ：長溝
２４２：中間キー  
２５２：ねじ溝
２６０：ボルト孔
３００：靴前方中底
４００：スプリングホルダー
４２０：コイル状のスプリング  
４４０：上側ホルダー板
４６０：下側ホルダー板  
４４４：ねじ溝
５００：締結具
６００：本底
６２０：折曲端  
６２２：キー溝
６２４：ボルト孔  
６６０：ボルト
【図１】
2013523207.tif 000003
【図２】
2013523207.tif 000004
【図３】
2013523207.tif 000005
【図４】
2013523207.tif 000006
【図５】
2013523207.tif 000007
【図６】
2013523207.tif 000008
【国際調査報告】
2013523207.tif 000009
2013523207.tif 000010
2013523207.tif 000011
2013523207.tif 000012